(57)【要約】  テーブル型の画像表示装置Ａにおいて、ディスプレイ１０５上に打ち合わせの資料等であるオブジェクトＤ１、Ｄ２が表示されている。例えば、打ち合わせの参加者Ｐ１、Ｐ２が共通のオブジェクトＤ２に基づいて討議する等、オブジェクトに対する複数の参加者による競合が発生した場合、その競合を自動的に検出して、討議をしている参加者に見やすいようにオブジェクトを分離して表示する。
2010018770.tif 000002
【特許請求の範囲】
【請求項１】
オブジェクトを表示する表示部と、
当該表示部に表示されたオブジェクトに対する複数のユーザーによる競合を自動的に検出する検出部と、
当該検出部により前記競合が検出された場合、競合するオブジェクトを少なくとも２つのオブジェクトに分離する分離部と、
を有することを特徴とする画像表示装置。
【請求項２】
前記分離部により分離されたオブジェクトの表示位置又は表示方向を調整する調整部を有する請求項１に記載の画像表示装置。
【請求項３】
前記表示部は、前記分離部により分離されたオブジェクトにマークを付与して表示する請求項１又は２に記載の画像表示装置。
【請求項４】
前記検出部は、ユーザーの指が指す方向に基づいて前記競合を検出する請求項１乃至３の何れか１項に記載の画像表示装置。
【請求項５】
前記検出部は、ユーザーが発した音声に基づいて前記競合を検出する請求項１乃至３の何れか１項に記載の画像表示装置。
【請求項６】
前記検出部は、ユーザーの視線に基づいて前記競合を検出する請求項１乃至３の何れか１項に記載の画像表示装置。
【発明の詳細な説明】
【技術分野】
【０００１】
本発明は複数人で打ち合わせ等を行う場合に使用される画像表示装置（電子ボード等）に関する。
【背景技術】
【０００２】
従来より、打ち合わせ用の写真や資料等を表示して複数人で打ち合わせ等を行う場合に使用される画像表示装置（電子ボード等）が提案されている。この画像表示装置は例えばテーブル型のものがあり、複数人がテーブル型の画像表示装置を取り囲んで画像表示装置に表示される資料を見ながら討議をする。【０００３】
画像表示装置として特許文献１又は特許文献２に記載の技術があり、特許文献１又は特許文献２に記載の技術は、複数人がテーブル型であるディスプレイ装置（画像表示装置）を取り囲んでディスプレイ装置の共通領域に表示された資料を見て討議をしている。特許文献１又は特許文献２に記載の技術のようにディスプレイ装置に表示された資料をもとに討議できれば、参加者用に資料を紙に出力して個別に用意する必要はなく、利便性がよい。
【先行技術文献】
【特許文献】
【０００４】
【特許文献１】特開２０００−４７７８６号公報
【特許文献２】特開２０００−４７７８８号公報
【発明の概要】
【発明が解決しようとする課題】
【０００５】
ところで、テーブル型の画像表示装置に表示された一つの資料（オブジェクト）に基づいて、画像表示装置を取り囲んでいる参加者が討議する場合、画像表示装置に対する参加者の居場所によって資料の見やすさが異なってくる。例えば資料が表示されている位置に近い者は資料が見やすく、遠い者は資料が見にくい。この場合、遠い者に対して近づけるように資料の表示位置を移動させると、今まで資料が近くに表示されて見やすかった者にとって見にくくなってしまい問題である。【０００６】
また資料が表示されている方向と同じ方向で資料を見ている者は資料が見やすく、逆方向で資料を見ている者は資料が逆さまになり見にくい。この場合、逆方向で資料を見ている者のために資料を回転させると、今まで資料が見やすかった者にとって見にくくなってしまい問題である。【０００７】
そこで、本発明の目的は、表示される一つの資料（オブジェクト）に基づいて複数の者が討議する場合、複数の者に資料を見やすくする画像表示装置を提供することにある。
【課題を解決するための手段】
【０００８】
上記目的を達成するため、本発明に係る画像表示装置は、
オブジェクトを表示する表示部と、
当該表示部に表示されたオブジェクトに対する複数のユーザーによる競合を自動的に検出する検出部と、
当該検出部により前記競合が検出された場合、競合するオブジェクトを少なくとも２つのオブジェクトに分離する分離部と、
を有することを特徴とするものである。
【発明の効果】
【０００９】
本発明に係る画像表示装置によれば、画像表示装置を取り囲み、画像表示装置に表示される一つの資料（オブジェクト）に基づいて複数の者が討議する場合でも、複数の者に資料を見やすくすることが出来る。
【図面の簡単な説明】
【００１０】
【図１】本発明に係る画像表示装置の概略図である。
【図２】本発明に係る画像表示装置のブロック図である。
【図３】オブジェクトの分離動作を示すフローチャート図である。
【図４】競合するオブジェクトの分離動作の概要を示す説明図である。
【図５】競合するオブジェクトの分離動作の概要を示す説明図である。
【発明を実施するための形態】
【００１１】
［画像表示装置の概要］図１は本発明に係る画像表示装置の概略図である。
【００１２】
図１に示す画像表示装置Ａはテーブル型であり、水平方向にディスプレイ（表示部）１０５が広がっている。複数の参加者Ｐ１〜Ｐ４が画像表示装置Ａの周囲を取り囲むように座り、ディスプレイ１０５に表示された資料であるオブジェクトＤ１、Ｄ２を見て、打ち合わせを行うことが出来る。
【００１３】
ディスプレイ１０５に表示されているオブジェクトＤ１は写真画像であり、オブジェクトＤ２はドキュメント画像である。その他各種のオブジェクトがディスプレイ１０５に表示可能であり、オブジェクトの情報は後述する画像表示装置ＡのＨＤＤ（Ｈａｒｄ  Ｄｉｓｃ  Ｄｒｉｖｅ）１０４に記憶されている。また、オブジェクトの情報を記憶した記憶媒体を画像表示装置Ａに接続してディスプレイ１０５に表示されることも出来る。
【００１４】
ディスプレイ１０５はタッチパネル形式となっており、ディスプレイ１０５に表示されているオブジェクトＤ１、Ｄ２を参加者Ｐ１〜Ｐ４が触って動かすことによりオブジェクトＤ１、Ｄ２の表示位置を変更することが出来る。また、参加者Ｐ１〜Ｐ４がディスプレイ１０５に触って描くことにより、文字等をディスプレイ１０５に表示させることも出来る。
【００１５】
各参加者Ｐ１〜Ｐ４が座っている場所には個別にカメラ１０６とマイク１０７が設置されている。カメラ１０６により各参加者Ｐ１〜Ｐ４が撮影され、マイク１０７により各参加者Ｐ１〜Ｐ４が発する音声が収集される。
【００１６】
図１に示す画像表示装置Ａは参加者Ｐ１〜Ｐ４の４人で打ち合わせを行う場合に単独で使用されているが、画像表示装置Ａをネットワークを経由して遠隔地にある他の画像表示装置と接続することも可能である。この場合、同じオブジェクトを互いのディスプレイ上に表示し、カメラ１０６で撮影した画像やマイク１０７で収集された音声を他の画像表示装置に送信し、異なる場所に居る者同士で打ち合わせを行うことも出来る。
【００１７】
図２は本発明に係る画像表示装置のブロック図であり、代表的な構成を示している。
【００１８】
図２に示すように画像表示装置Ａは通信部１０８を介してＰＣと接続されており、ＰＣから送信されたデータをＨＤＤ１０４に保存したり、ディスプレイ１０５にオブジェクトとして表示したりすることが出来る。
【００１９】
画像表示装置ＡにはＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３等が内蔵されている。ＣＰＵ１０１は画像表示装置全体の動作を制御するものであり、ＲＯＭ１０２やＲＡＭ１０３等に接続されている。このＣＰＵ１０１は、ＲＯＭ１０２に納まれている各種プログラムを読み出してＲＡＭ１０３に展開し、各部の動作を制御する。また、ＣＰＵ１０１は、ＲＡＭ１０３に展開したプログラムに従って各種処理を実行し、その処理結果をＲＡＭ１０３に格納する。そして、ＲＡＭ１０３に格納した処理結果を所定の保存先に保存させる。なお、本実施形態においては、ＣＰＵ１０１はＲＯＭ１０２及びＲＡＭ１０３と協働することにより検出部、分離部、調整部を構成する。
【００２０】
ＲＯＭ１０２は、プログラムやデータ等を予め記憶しており、半導体メモリで構成されている。ＲＡＭ１０３は、ＣＰＵ１０１によって実行される各種プログラムによって処理されたデータ等を一時的に記憶するワークエリアを形成する。ＨＤＤ１０４は、ディスプレイ１０５に表示するオブジェクトの情報を記憶する機能を有する。またＨＤＤ１０４は磁性体を塗布または蒸着した金属のディスクを重ね合わせた構造になっており、これをモータで高速に回転させて磁気ヘッドを近づけてデータを読み書きする。ディスプレイ１０５、カメラ１０６、マイク１０５はＣＰＵ１０１によって動作が制御される。
【００２１】
［オブジェクトの競合・分離］ところで、図１に示すテーブル型の画像表示装置Ａを使用し、参加者Ｐ１〜Ｐ４がディスプレイ１０５に表示されるオブジェクトＤ１、Ｄ２に基づいて討議する場合、参加者Ｐ１〜Ｐ４の座る位置によってオブジェクトＤ１、Ｄ２の見やすさが異なってくる。
【００２２】
例えば、図１に示すオブジェクトＤ２に基づいて参加者Ｐ１と参加者Ｐ２が討議する場合、参加者Ｐ１はオブジェクトＤ２に近いため見やすいが、参加者Ｐ２はオブジェクトＤ２に遠いため見にくい。また、図１に示すオブジェクトＤ１に基づいて参加者Ｐ１と参加者Ｐ３が討議する場合、参加者Ｐ３は問題なくオブジェクトＤ１を見ることが出来るが、参加者Ｐ１に対してオブジェクトＤ１の天地が逆方向であり、参加者Ｐ１はオブジェクトＤ１を逆さまに見なければならず見にくい。
【００２３】
そこで、複数の参加者が同じ一つのオブジェクトを見て討議する場合等、複数の参加者による競合が発生した場合、その一つのオブジェクトを少なくとも２つのオブジェクトに分離して、複数の参加者がオブジェクトを見やすいようにする（本発明において「競合」とは、複数の参加者が同じ一つのオブジェクトを見て討議する場合等、一つのオブジェクトに対して複数の参加者の意識が合致することをいう）。以下、図１、図３〜図５を用いてディスプレイ１０５上でオブジェクトを分離する動作について詳しく説明する。
【００２４】
図３は、オブジェクトの分離動作を示すフローチャート図である。なお、図３における判断ステップ（ステップＳ２、Ｓ５）は、画像表示装置ＡにおけるＣＰＵ１０１がＲＯＭ１０２及びＲＡＭ１０３と協働することにより実行される。
【００２５】
まず、画像表示装置Ａのディスプレイ１０５（図１参照）においてオブジェクト（図１では例えばＤ１、Ｄ２）を表示する（ステップＳ１）。表示されるオブジェクトの情報は例えばＨＤＤ１０４に記憶されており、参加者Ｐ１〜Ｐ４がディスプレイ１０５に表示すべきオブジェクトを選択し、その選択されたオブジェクトが表示される。
【００２６】
ディスプレイ１０５にオブジェクトが表示されると、そのオブジェクトに基づいて参加者Ｐ１〜Ｐ４が討議をするわけであるが、この際にディスプレイ１０５に表示されているオブジェクトにおいて参加者による競合が発生したか否か自動的に判断する（ステップＳ２）。ディスプレイ１０５にオブジェクトが表示されている間は、常時、ＣＰＵ１０１等が参加者による競合が発生するのか否か自動的に検出している。
【００２７】
競合を検出する方法は多種考えられ、例えば、参加者Ｐ１〜Ｐ４の指が指す方向、参加者Ｐ１〜Ｐ４が発した音声、参加者Ｐ１〜Ｐ４の視線等に基づいて検出する。
【００２８】
参加者Ｐ１〜Ｐ４の指が指す方向や参加者Ｐ１〜Ｐ４の視線に基づいて競合を検出する場合は、まず各参加者Ｐ１〜Ｐ４の前に設置されているカメラ１０６により撮影された画像を解析し、参加者の指が指す方向や参加者の視線を参加者毎に特定する。そして参加者毎に特定された方向等を合算して解析し、一つのオブジェクトに対して複数の参加者の指が指す方向が合致していたり、複数の参加者の視線が合致していたりした場合は、競合が発生したと検出する。
【００２９】
また、参加者Ｐ１〜Ｐ４が発した音声により競合を検出する場合は、まずマイク１０７により収集した音声に基づいて参加者が発した言葉を参加者毎に特定する。ディスプレイ１０５に表示されるオブジェクト毎にキーワードが設定されており、複数の参加者が発した言葉が一つのオブジェクトにおけるキーワードと合致した場合に、競合が発生したと検出する。この場合、オブジェクトとキーワードが予めデータテーブルとしてＲＯＭ１０２等に記憶されている。
【００３０】
ステップＳ２において参加者による競合が発生したと判断した場合は（ステップＳ２；Ｙｅｓ）、討議をしている参加者に見やすいように、競合するオブジェクトを分離する（ステップＳ３）。競合するオブジェクトの分離動作については図４及び図５を用いて説明する。
【００３１】
図４及び図５は、競合するオブジェクトの分離動作の概要を示す説明図である。図４（ａ）は競合するオブジェクトを示す平面図、図４（ｂ）は競合するオブジェクトが伸びて震える状態を示す平面図、図５（ａ）は競合するオブジェクトが分離した状態を示す平面図、図５（ｂ）は分離したオブジェクトにマークが付与された状態を示す平面図である。
【００３２】
例えば、図４（ａ）に示すようにディスプレイ１０５に３つのオブジェクトが表示されており、破線で示すオブジェクトＤ３に対する競合が発生したとする。オブジェクトＤ３に対する競合を検出すると、まず、図４（ｂ）に示すようにオブジェクトＤ３が一定方向に伸び、競合したオブジェクトであることをユーザーが認識出来るよう、オブジェクトＤ３が図４（ｂ）の矢印方向に震える。
【００３３】
次に、図５（ａ）に示すように競合するオブジェクトＤ３が破れる形となり、２つのオブジェクトＤ３、Ｄ３Ａに分離する。なお、分離して新しく出来たオブジェクトＤ３Ａに対しては、オブジェクトＤ３における文字や画像と同じ内容（本実施形態では「Ａ」という文字）が付与される。このような手順により競合するオブジェクトの分離動作が実行される。
【００３４】
図３に戻ってフローチャート図の説明を継続する。ステップＳ３において競合するオブジェクトの分離動作が完了すると、次に分離して新しく出来たオブジェクトにマークを付与する（ステップＳ４）。分離して新しく出来たオブジェクトにマークを付与するのは、元のオブジェクトと区別するためであり、例えば図５（ｂ）に示すように分離して新しく出来たオブジェクトＤ３Ａに対して黒丸のマークＭを付与する。このようにすればユーザーが容易に分離したオブジェクトであることを認識出来る。
【００３５】
ステップＳ４でマークを付与すると、分離して新しく出来たオブジェクトの表示位置又は表示方向を調整する必要があるか否か判断する（ステップＳ５）。例えば図５（ｂ）で示すように参加者Ｐ１と参加者Ｐ２がオブジェクトＤ３に基づいて討議してオブジェクトＤ３に対する競合が発生した場合、オブジェクトＤ３を分離しただけではオブジェクトＤ３Ａの表示位置が参加者Ｐ１に対して遠い場合がある。また、参加者Ｐ１と参加者Ｐ３がオブジェクトＤ３に基づいて討議してオブジェクトＤ３に対する競合が発生した場合、オブジェクトＤ３を分離しただけではオブジェクトＤ３Ａが参加者Ｐ３に対して依然として逆さまである。
【００３６】
そこで、ステップＳ５における判断動作を実行し、分離して新しく出来たオブジェクトの表示位置又は表示方向を調整する必要があると判断した場合は（ステップＳ５；Ｙｅｓ）、オブジェクトの表示位置又は表示方向を調整し（ステップＳ６）、一連の動作を終了する。ステップＳ５における判断動作は、競合している参加者の位置情報等に基づいてＣＰＵ１０１が所定のプログラムに基づいて実行する。このように分離したオブジェクトの表示位置又は表示方向を調整すれば、複数の参加者が更にオブジェクトを見やすくなる。なお、図４及び図５では２つのオブジェクトに分離する形態を説明したが、競合する参加者の人数により、３つ以上のオブジェクトに分離しても良い。また、分離して新しく出来たオブジェクトＤ３Ａを一定期間経過した後、再度オブジェクトＤ３と融合して一つのオブジェクトに戻すようにしても良い。
【００３７】
以上図３〜図５を用いて説明したように、複数の参加者が同じ一つのオブジェクトを見て討議する場合等、複数の参加者による競合が発生した場合、その一つのオブジェクトを少なくとも２つのオブジェクトに分離すれば、複数の参加者がオブジェクトを見やすくなり、円滑に打ち合わせを行うことが出来る。また、オブジェクトの競合を自動的に検出してオブジェクトの分離動作を実行することにより、参加者により特別な操作が不要となり手間が省ける。
【００３８】
なお、本発明は当該実施の形態に限定されるものではなく、本発明の要旨を逸脱しない範囲における変更や追加があっても本発明に含まれる。
【００３９】
本実施形態では、図１に示すようにテーブル型の画像表示装置Ａを用いて説明したが、垂直方向にディスプレイ１０５が表示される等、他の形態の画像表示装置であってもよい。
【００４０】
また、本実施形態では、図２に示すようにＣＰＵ１０１がＲＯＭ１０２及びＲＡＭ１０３と協働することにより検出部、分離部、調整部を構成するようにしたが、複数のＣＰＵ、ＲＯＭ、ＲＡＭにより検出部、分離部、調整部を構成するようにしても良い。
【符号の説明】
【００４１】
Ａ  画像表示装置
Ｄ１、Ｄ２  オブジェクト
１０１  ＣＰＵ
１０２  ＲＯＭ
１０３  ＲＡＭ
１０４  ＨＤＤ
１０５  ディスプレイ
１０６  カメラ
１０７  マイク
１０８  通信部
【図１】
2010018770.tif 000003
【図２】
2010018770.tif 000004
【図３】
2010018770.tif 000005
【図４】
2010018770.tif 000006
【図５】
2010018770.tif 000007
【国際調査報告】
2010018770.tif 000008
2010018770.tif 000009